(57)【要約】【課題】少ない洗浄水量でも良好に便器洗浄を行なうことができる水洗大便器を提供する。【解決手段】本発明の水洗大便器１は、汚物受け面１２と、リム部１４とを備えたボウル部６と、汚物をサイホン作用により排出する排水路１０と、リム部１４に沿って洗浄水を吐水するリム吐水口部と、排水路１０の入口に向かって洗浄水を吐水するゼット吐水口部２２と、上流側で給水源４と接続される主導水路２４であって、下流側で流路が分岐する分岐部２４ａを有している、主導水路２４と、主導水路２４の分岐部２４ａの下方側に接続され、洗浄水をゼット吐水口部２２へ導くゼット導水路２６と、リム導水路入口部２８ａ、３０ａが主導水路の分岐部と接続され、洗浄水を上記リム導水路入口部から上記リム吐水口部へ導くリム導水路と、を備え、上記リム導水路の上記リム導水路入口部の底面は、上記リム吐水口部の底面より下方に位置することを特徴とする。【選択図】図２
2015168994.tif 000002
【特許請求の範囲】
【請求項１】
洗浄水により便器を洗浄する水洗大便器において、
ボウル形状の汚物受け面と、上縁部にあり内周面を形成するリム部とを備えたボウル部と、
このボウル部の下方にその入口が接続され汚物をサイホン作用により排出する排水路と、
上記リム部に設けられ、洗浄水が上記リム部に沿って旋回して上記ボウル部を洗浄するように洗浄水を吐水するリム吐水口部と、
上記汚物受け面の溜水面より下方に設けられ、上記排水路の入口に向かって洗浄水を吐水するゼット吐水口部と、
上流側で給水源と接続される主導水路であって、下流側で流路が分岐する分岐部を有している、主導水路と、
主導水路の分岐部の下方側に接続され、洗浄水を上記ゼット吐水口部へ導くゼット導水路と、
リム導水路入口部が主導水路の分岐部と接続され、洗浄水を上記リム導水路入口部から上記リム吐水口部へ導くリム導水路と、を備え、
上記リム導水路の上記リム導水路入口部の底面は、上記リム吐水口部の底面より下方に位置することを特徴とする水洗大便器。
【請求項２】
上記リム導水路の底面は、リム導水路入口部近傍からリム吐水口部の方向に向かって徐々に上昇する傾斜面を含んでいる請求項１の水洗大便器。
【請求項３】
上記リム導水路の上記リム吐水口部の開口面積は、上記リム導水路入口部の流路断面積よりも小さくなるように形成されている請求項２記載の水洗大便器。
【請求項４】
上記リム導水路の底面の最大の傾斜角度が、水平面に対して２度〜１５度の範囲で設定されている請求項２記載の水洗大便器。
【請求項５】
上記リム導水路は、上記リム吐水口部近傍において、上記リム導水路の底面がほぼ平坦に形成されて洗浄水の流れを整流する整流部を備えている請求項２記載の水洗大便器。
【発明の詳細な説明】
【技術分野】
【０００１】
本発明は、水洗大便器に係り、特に、洗浄水により便器を洗浄する水洗大便器に関する。
【背景技術】
【０００２】
従来から、例えば、特許文献１に記載されているように、洗浄水を貯水する貯水タンクと、便器本体の後方上部に形成された分流室と、後方下部に形成された排水路とを有し、洗浄水が分流室のリム導水路に接続されたリム吐水口からリム上に吐水され、この洗浄水がボウル部を旋回流で洗浄し、排水路に接続されたゼット吐水口からの吐水によりサイホン作用を生じさせることにより汚物を排出する水洗大便器が知られている。
【先行技術文献】
【特許文献】
【０００３】
【特許文献１】特開２０１３−５００２７号公報
【発明の概要】
【発明が解決しようとする課題】
【０００４】
このような水洗大便器において、近年の節水化の要請により、ボウル部を洗浄する洗浄水量を削減することが求められている。しかしながら、特許文献１に記載されているような水洗大便器は、リム吐水口に接続されたリム導水路の入口が、リム吐水口の開口よりも上方の位置に位置しているため、リム導水路の入口の高さが比較的高い位置に形成されている。従って、洗浄水をリム吐水口から吐水させるには、洗浄水が排水路に満たされ、比較的高い高さ位置のリム導水路の入口まで水位が上昇する必要がある。従って、このような従来のサイホンゼット便器において、単に洗浄水量を削減しようとする場合、リム吐水口から吐水される洗浄水量が比較的少なくなり、ボウル部の洗浄が不十分となるという問題がある。
また、このような従来のサイホンゼット便器においては、洗浄水の水位が比較的高い高さ位置のリム導水路の入口まで上昇する必要があり、ゼット吐水口からの吐水のタイミングに対してリム吐水口からの吐水のタイミングが比較的遅くなる。よって、浮遊系汚物を効果的に洗浄する能力が高いリム吐水部による洗浄が、ゼット吐水口の吐水のタイミングに対して遅く開始され、サイホン作用が開始した後比較的遅いタイミングでリム吐水部による洗浄が開始される。従って、リム吐水口から吐水される洗浄水により洗浄される浮遊系汚物をサイホン作用で排出される洗浄水と共に効果的に排出できないという問題があった。
【０００５】
そこで、本発明は、上述した問題点を解決するためになされたものであり、少ない洗浄水量でも良好に便器洗浄を行なうことができる水洗大便器を提供することを目的としている。
【課題を解決するための手段】
【０００６】
上記の目的を達成するために、本発明は、洗浄水により便器を洗浄する水洗大便器において、ボウル形状の汚物受け面と、上縁部にあり内周面を形成するリム部とを備えたボウル部と、このボウル部の下方にその入口が接続され汚物をサイホン作用により排出する排水路と、リム部に設けられ、洗浄水がリム部に沿って旋回してボウル部を洗浄するように洗浄水を吐水するリム吐水口部と、汚物受け面の溜水面より下方に設けられ、排水路の入口に向かって洗浄水を吐水するゼット吐水口部と、上流側で給水源と接続される主導水路であって、下流側で流路が分岐する分岐部を有している、主導水路と、主導水路の分岐部の下方側に接続され、洗浄水をゼット吐水口部へ導くゼット導水路と、リム導水路入口部が主導水路の分岐部と接続され、洗浄水をリム導水路入口部からリム吐水口部へ導くリム導水路と、を備え、リム導水路のリム導水路入口部の底面は、リム吐水口部の底面より下方に位置することを特徴としている。
このように構成された本発明においては、リム導水路のリム導水路入口部の底面は、リム吐水口部の底面より下方に位置するので、給水源から主導水路へ洗浄水の供給が開始されるとき、分岐部の下方側に接続されたゼット導水路に流入しきれなくなる洗浄水が、リム導水路入口部からリム導水路へ比較的早期に導かれることができる。従って、給水源から供給される洗浄水量が節水化により減少しても、リム吐水口部からの吐水が比較的早期に開始されるので、リム吐水口部から吐水される洗浄水量を比較的多くすることができる。
また、洗浄水がゼット吐水口部から吐水されるタイミングに対して洗浄水がリム吐水口部から吐水されるタイミングを比較的早期にすることができる。従って、給水源から供給される洗浄水量が節水化により減少してサイホン作用の継続時間が減少する場合にも、リム吐水口部から汚物受け面を流下する洗浄水が、汚物受け面内の溜水中に浮いている浮遊系汚物を、ゼット吐水口部からの吐水が継続されている間に、サイホン作用で排出される洗浄水と共に効果的に排水路へ排出することができる。
従って、給水源から供給される洗浄水量が節水化により減少しても、良好に便器洗浄を行なうことができる。
【０００７】
本発明において、好ましくは、リム導水路の底面は、リム導水路入口部近傍からリム吐水口部の方向に向かって徐々に上昇する傾斜面を含んでいる。
このように構成された本発明においては、リム導水路の底面においてリム導水路入口部近傍からリム吐水口部の方向に向かって段状に上昇する段部が形成される場合よりも、リム導水路を流れる洗浄水の圧力損失を低減することができる。したがって、リム導水路の底面に段部が設けられる場合と比べて、リム吐水口部から吐水される洗浄水が比較的大きな流速を有することができ、ボウル部をより効果的に洗浄することができる。
【０００８】
本発明において、好ましくは、リム導水路の上記リム吐水口部の開口面積は、リム導水路入口部の流路断面積よりも小さくなるように形成されている。
このように構成された本発明においては、リム導水路入口部からリム導水路内へ比較的多くの洗浄水を導水することができると共に、リム吐水口部から吐水される洗浄水の流速を増大させることができる。従って、ボウル部をより効果的に洗浄することができる。
【０００９】
本発明において、好ましくは、リム導水路の底面の最大の傾斜角度が、水平面に対して２度〜１５度の範囲で設定されている。
このように構成された本発明においては、リム吐水口部から吐水される洗浄水量を比較的多くすることができると共に、リム吐水口部から吐水される洗浄水の流速を適切に制御することができる。従って、ボウル部をより効果的に洗浄することができる。
【００１０】
本発明において、好ましくは、リム導水路は、リム吐水口部近傍において、リム導水路の底面がほぼ平坦に形成されて洗浄水の流れを整流する整流部を備えている。
このように構成された本発明においては、整流部により、リム導水路の底面の上昇する傾斜面に沿って流れる洗浄水を、吐水方向に向かう流れに整流することができる。従って、洗浄水の乱れが抵抗を生じさせることを抑制し、リム吐水口部から吐水される洗浄水量を比較的多くすることができると共に、リム吐水口部から吐水される洗浄水の流速を適切に制御することができる。従って、ボウル部をより効果的に洗浄することができる。
【発明の効果】
【００１１】
本発明の水洗大便器によれば、少ない洗浄水量でも良好に便器洗浄を行なうことができる。
【図面の簡単な説明】
【００１２】
【図１】本発明の一実施形態による水洗大便器の平面図である。
【図２】図１のＩＩ−ＩＩ線に沿って見た断面図である。
【図３】図１のＩＩＩ−ＩＩＩ線に沿って見た断面図である。
【図４】図３のＩＶ−ＩＶ線に沿って見た断面図である。
【図５】図１のＶ−Ｖ線に沿って見た部分断面図である。
【図６】図１のＶＩ−ＶＩ線に沿って見た部分断面図である。
【発明を実施するための形態】
【００１３】
以下、図１乃至図３を参照して、本発明の一実施形態による水洗大便器を説明する。
図１は本発明の一実施形態による水洗大便器の平面図であり、図２は図１のＩＩ−ＩＩ線に沿って見た断面図であり、図３は図１のＩＩＩ−ＩＩＩ線に沿って見た断面図である。
【００１４】
図１に示すように、符号１は水洗大便器を示し、この水洗大便器１は、便器本体２と、この便器本体２の後方上部に取付けられた貯水タンク装置４を備えている。貯水タンク装置４は、洗浄開始前において、外部の給水管（図示せず）により供給された洗浄水を貯水した状態にされるようになっており、さらに、貯水タンク装置４には、排水弁（図示せず）が設けられ、操作レバー（図示せず）、操作スイッチ（図示せず）等の操作により開閉し、便器本体２へ洗浄水を供給するようになっている。
便器本体２には、この便器本体２の上部の前方側にボウル部６が、後方側の上部には導水路８が、導水路８の下方にはボウル部６と連通する排水トラップ管路１０が、それぞれ形成されている。
【００１５】
ボウル部６はボウル形状をなす汚物受け面１２と、上縁部を構成し且つ内側に向かう内周面を形成するリム１４を有し、汚物受け面１２とリム１４の内周面はスムーズな曲面で連続している。リム１４の内周面は内方に向かってある程度オーバーハングした形状になっている。ボウル部６は、平面視で楕円形状であり、前端と後端の領域は曲率半径が小さく、右側と左側の領域は曲率半径が大きくなっている。ボウル部６の下方には溜水を貯溜する溜水部１６が形成されている。なお、図２及び図３においては、溜水部１６の溜水面Ｗ０を一点鎖線で示している。
【００１６】
汚物受け面１２の中央近傍の溜水面Ｗ０の下方には排水トラップ管路１０の排水トラップ管路入口１０ａが開口し、この排水トラップ管路入口１０ａから上昇路１０ｂが後方に伸び、この上昇路１０ｂには下降路１０ｃ（縦管）が連続し、下降路１０ｃの下端は、ジョイント（図示せず）を介して排出管（図示せず）に接続されている。
【００１７】
水洗大便器１の導水路８の後方側の上方には、洗浄水を貯留する貯水タンク装置４が設けられている。貯水タンク装置４は、ローシルエットタイプの洗浄水タンクである。この貯水タンク装置４の底面４ａには、水洗大便器１の導水路８に排水する排水口４ｂが形成されている。
この貯水タンク装置４は、節水型の貯水タンク装置であり、貯水される洗浄水量は、３．８リットルである。なお、この貯水タンク装置４に貯水される洗浄水量は、３．６リットル乃至４．２リットルの範囲が好ましい。
なお、便器本体２へ洗浄水を給水（供給）する給水源としては、本実施形態で示した重力給水式の貯水タンク装置４のようなタンク式のものに限定されず、水道水の給水圧を直接利用した水道直圧式のものや、フラッシュバルブ式のものや、ポンプの圧力を利用して洗浄水を供給するもの等であってもよい。
【００１８】
さらに、この便器本体２には、ボウル部６のリム１４の左側中央近傍の位置から洗浄水を前方に向けて吐水し、洗浄水がリム１４の内周面に沿って旋回してボウル部６洗浄する第一リム吐水口部１８と、このボウル部６のリム１４の右側後方の位置からリム１４の後端に沿うように洗浄水を吐水し、洗浄水が第一リム吐水口部１８から吐水される洗浄水の旋回方向と同一方向にリム１４の内周面に沿って旋回してボウル部６を洗浄する第二リム吐水口部２０とが形成され、洗浄水が旋回しながら下降してボウル部６の表面上の汚物を溜水部１６内に集めて洗浄できるようになっている。なお、本実施形態の水洗大便器１では、便器本体２に第一リム吐水口部１８と第二リム吐水口部２０とが設けられた形態について説明したが、このような形態に限られず、他の形態として、例えば、便器本体２に第一リム吐水口部１８のみが設けられている形態であってもよい。なお、便器本体の左側、あるいは右側とは、便器本体前方から見たときの左側、あるいは右側を示す。
また、ボウル部６の中心下部には、導水路８から洗浄水が供給されるゼット吐水口部（ジェット吐水口）２２が形成され、このゼット吐水口部２２から洗浄水が排水トラップ管路１０の排水トラップ管路入口１０ａに向けて吐水され、サイホンを短時間で発生させるようになっている。
【００１９】
導水路８は、上流側で貯水タンク装置４の排水口４ｂと接続される主導水路２４と、この主導水路２４の下流側からさらに下方且つ前方に延びるゼット導水路２６と、下流側でこの主導水路２４の分岐部２４ａから分岐して左側前方に延びる第一リム導水路２８と、下流側でこの主導水路２４の分岐部２４ａから分岐して右側前方に延びる第二リム導水路３０とを備えている。
【００２０】
主導水路２４は、便器中央後方の排水口４ｂの近傍領域からボウル部６の後端の裏側領域まで延びる導水路を形成している。
主導水路２４の分岐部２４ａは、主導水路２４の前方側上部に形成されている。分岐部２４ａは、左側前方に延びる第一リム導水路２８と、右側前方に延びる第二リム導水路３０と接続されている。さらに、分岐部２４ａの下方側にゼット導水路２６が主導水路２４と接続されている。より具体的には、分岐部２４ａは、後述する第一リム導水路入口部２８ａと第二リム導水路入口部３０ａとの間に配置され、ゼット導水路流入口部２６ａの上部後方側に配置されている。
よって、洗浄開始とともに貯水タンク装置４の排水口４ｂから流入した洗浄水は、最初に主導水路２４の分岐部２４ａの下方側を流下してゼット導水路２６に流入する。洗浄開始後、ゼット導水路２６が洗浄水で満たされ、主導水路２４内の水位が分岐部２４ａの高さまで上昇するとき、洗浄水が分岐部２４ａから第一リム導水路２８及び第二リム導水路３０に分岐して流れる。
【００２１】
次に、図１乃至図６により、ゼット導水路２６と、第一リム導水路２８と、第二リム導水路３０についてより詳細に説明する。
図４は図３のＩＶ−ＩＶ線に沿って見た断面図であり、図５は図１のＶ−Ｖ線に沿って見た部分断面図であり、図６は図１のＶＩ−ＶＩ線に沿って見た部分断面図である。
【００２２】
ゼット導水路２６は、ゼット導水路流入口部２６ａが分岐部２４ａの下方に位置し、ゼット導水路２６及び主導水路２４により分岐部２４ａの下方側の流路を形成する。主導水路２４の底部２４ｂがゼット導水路２６の底部２６ｂと接続されている。すなわち、ゼット導水路流入口部２６ａは、分岐部２４ａより低い位置まで開口部を形成している。
ゼット導水路２６は、ゼット導水路流入口部２６ａから下方且つ前方に延び、汚物受け面１２の裏側に沿って回り込むように前方に延び、ボウル部６の中央近傍においてＵ字形に屈曲され、後方に向かって開口するゼット吐水口部２２に至る導水路を形成している。
【００２３】
第一リム導水路２８は、第一リム導水路入口部２８ａが主導水路２４の分岐部２４ａに左側側方から接続され、第一リム導水路入口部２８ａからボウル部６の内周面の裏側を弧を描くように湾曲して延び、第一リム吐水口部１８に至る導水路を形成している。
第一リム吐水口部１８は、ボウル部６の上部まで洗浄するためにボウル部６の比較的高い位置に設ける必要がある。これに対し、第一リム導水路２８の第一リム導水路入口部２８ａの第一リム導水路入口部底面２８ｂは、第一リム吐水口部１８の第一リム吐水口部底面１８ａより下方に位置している。すなわち、第一リム導水路入口部底面２８ｂは、第一リム吐水口部底面２８ｃより低い高さ位置に形成されている。従って、第一リム導水路入口部底面２８ｂは、第一リム吐水口部１８の前方側近傍のリム１４の高さ位置より低い高さ位置に形成されている。また、第一リム導水路入口部底面２８ｂは、主導水路２４の底部２４ｂからの高さが従来よりも低い高さ位置に形成され、ゼット導水路流入口部２６ａにおける底部２６ｂからの高さも従来よりも低い高さ位置に形成されている。従って、洗浄時に第一リム導水路入口部２８ａより下側の主導水路２４及びゼット導水路２６の領域が比較的少ない洗浄水量により満たされることができる。
【００２４】
図５に示すように、第一リム導水路２８は、第一リム導水路入口部２８ａから第一リム吐水口部１８まで、天井面はほぼ水平の平坦面を形成し、ほぼ一定の高さに配置されている。第一リム導水路２８は、第一リム吐水口部１８近傍において、自身の第一整流部底面２８ｃが一定の長さにわたってほぼ平坦に形成された第一整流部２８ｄを備えている。この第一整流部底面２８ｃが第一リム吐水口部底面２８ｃを形成している。
第一リム導水路２８は、第一リム導水路入口部２８ａから第一整流部２８ｄの手前側まで第一リム吐水口部１８の方向に向かって徐々に上昇する第一傾斜底面２８ｅを形成している。第一傾斜底面２８ｆは、第一リム導水路入口部２８ａから第一整流部２８ｄの手前側までの一部に形成されていてもよい。従って、第一リム導水路２８は、第一リム導水路入口部２８ａから第一整流部２８ｄの手前側まで流路断面積が徐々に小さくなるように形成され、第一整流部２８ｄにおいては流路断面積がほぼ一定となるように形成されている。第一整流部２８ｄの下流端が第一リム吐水口部１８を形成し、第一整流部２８ｄの流路断面積と、第一リム吐水口部１８の開口面積（開口部の流路断面積）はほぼ同じとなっている。
【００２５】
第二リム導水路３０は、第二リム導水路入口部３０ａが主導水路２４の分岐部２４ａに右側側方から接続され、第二リム導水路入口部３０ａからボウル部６の内周面の裏側を弧を描くように湾曲して延び、便器本体２の右端より内側から内方にボウル部６の内周面の後方に向かって折り返すように延び、第二リム吐水口部２０に至る導水路を形成している。
第二リム吐水口部２０は、第一リム吐水口部１８と同様に、ボウル部６の上部まで洗浄するためにボウル部６の比較的高い位置に設ける必要がある。これに対し、第二リム導水路入口部３０ａの第二リム導水路入口部底面３０ｂは、第二リム吐水口部２０の第二リム吐水口部底面２０ａより下方に位置している。すなわち、第二リム導水路入口部底面３０ｂは、第二リム吐水口部底面２０ａより低い高さ位置に形成されている。従って、第二リム導水路入口部底面３０ｂは、第二リム吐水口部２０の吐水方向の近傍のリム１４の高さ位置より低い高さ位置に形成されている。また、第二リム導水路入口部底面３０ｂは、主導水路２４の底部２４ｂからの高さが従来よりも低い高さ位置に形成され、ゼット導水路流入口部２６ａにおける底部２６ｂからの高さも従来よりも低い高さ位置に形成されている。従って、洗浄時に第二リム導水路入口部３０ａより下側の主導水路２４及びゼット導水路２６が比較的少ない洗浄水量により満たされることができる。
【００２６】
図６に示すように、第二リム導水路３０は、第二リム導水路入口部３０ａから第二リム吐水口部２０まで、天井面は平坦面を形成し、ほぼ一定の高さに配置されている。第二リム導水路３０は、第二リム吐水口部２０近傍において、自身の第二整流部底面３０ｃが一定の長さにわたってほぼ平坦に形成された第二整流部３０ｄを備えている。この第二整流部底面３０ｃが第二リム吐水口部底面２０ａを形成している。
第二リム導水路３０は、第二リム導水路入口部３０ａから第二整流部３０ｄの手前側まで第二リム吐水口部２０の方向に向かって徐々に上昇する第二傾斜底面３０ｅを形成している。第二傾斜底面３０ｅは、第二リム導水路入口部３０ａから第二整流部３０ｄの手前側までの少なくとも１部に形成されていてもよい。従って、第二リム導水路３０は、第二リム導水路入口部３０ａから第二整流部３０ｄの手前側まで流路断面積が徐々に小さくなるように形成され、第二整流部３０ｄにおいては流路断面積がほぼ一定となるように形成されている。第二整流部３０ｄの下流端が第二リム吐水口部２０を形成し、第二整流部３０ｄの流路断面積と、第二リム吐水口部２０の開口面積（開口部の流路断面積）はほぼ同じとなっている。
【００２７】
なお、第一リム導水路２８の第一傾斜底面２８ｅの最大の傾斜角度ａ１は、水平面に対して２度〜１５度の範囲で設定されている。また、第二リム導水路３０の第二傾斜底面３０ｅの最大の傾斜角度ａ２は、水平面に対して２度〜１５度の範囲で設定されている。
【００２８】
次に、上述した本発明の実施形態による水洗大便器の作用（動作）を説明する。
具体的には、先ず、使用者が貯水タンク装置４の操作レバー、操作スイッチ等を操作すると、貯水タンク装置４から洗浄水が排出され、便器本体２への洗浄水の供給が開始される。洗浄水は、貯水タンク装置４の排水口４ｂから落下して、主導水路２４に流入する。洗浄水の主導水路２４への供給が開始されるとき、主導水路２４に流入した洗浄水は、前方に向かって流れ、最初に主導水路２４の分岐部２４ａの下方側を流下してゼット導水路２６に流入する。ゼット導水路流入口部２６ａに流入した洗浄水は、ゼット吐水口部２２から吐水され、排水トラップ管路１０内でサイホンを発生させる。貯水タンク装置４から供給される洗浄水量が節水化により減少する場合には、このサイホン作用の継続できる時間が減少する。洗浄水が主導水路２４からゼット導水路流入口部２６ａに流入するにつれ、ゼット導水路２６内が洗浄水で満たされる。
すなわち、ゼット導水路２６が洗浄水で満たされるので、洗浄水の水位が上昇し、主導水路２４内の水位が分岐部２４ａの高さまで上昇する。第一リム導水路入口部２８ａ及び第二リム導水路入口部３０ａの高さ位置まで水位が上昇するとき、主導水路２４から流入する洗浄水が、第一リム導水路入口部２８ａ及び第二リム導水路入口部３０ａに分岐して流入する。
【００２９】
この第一リム導水路入口部２８ａの高さ位置が、第一リム吐水口部１８よりも低い高さ位置に形成され、第二リム導水路入口部３０ａの高さ位置が、第二リム吐水口部２０よりも低い高さ位置に形成され、第一リム導水路入口部２８ａ及び第二リム導水路入口部３０ａが比較的低い位置に位置しているので、洗浄水が比較的早期に第一リム導水路入口部２８ａ及び第二リム導水路入口部３０ａに流入することができる。従って、洗浄水がゼット吐水口部２２から吐水されるタイミングに対して洗浄水が第一リム吐水口部１８及び第二リム吐水口部２０から吐水されるタイミングを比較的早期にすることができる。
【００３０】
第一リム導水路入口部２８ａに流入した洗浄水は、第一リム導水路入口部２８ａから第一整流部２８ｄの手前側まで徐々に上昇する第一傾斜底面２８ｅに沿ってわずかに上昇しながら流れる。第一リム導水路２８の第一傾斜底面２８ｆの最大の傾斜角度ａ１が、水平面に対して２度〜１５度の範囲で設定されるので、第一整流部２８ｄの手前側に至る洗浄水の流速は、過度に低減されることなく、比較的速い流速を維持した状態で流れることが出来る。むしろ、流路断面積が第一リム導水路入口部２８ａから第一整流部２８ｄの手前側まで徐々に小さくなるように形成されているので、第一リム導水路入口部２８ａにおける洗浄水の流速よりも第一整流部２８ｄにおける洗浄水の流速が速くなっている。
第一整流部２８ｄに到達する洗浄水は、ほぼ平坦な底面に沿ってほぼ一定の流路断面積を有する整流部内を流れ、ほぼ水平向きの流れに整流される。よって、洗浄水は、比較的速い流速を維持した状態で、なめらかに第一リム導水路入口部２８ａから吐水方向に吐水されることができる。
【００３１】
第二リム導水路入口部３０ａに流入した洗浄水は、第二リム導水路入口部３０ａから第二整流部３０ｄの手前側まで徐々に上昇する第二傾斜底面３０ｅに沿ってわずかに上昇しながら流れる。第二傾斜底面３０ｅの最大の傾斜角度ａ２が、水平面に対して２度〜１５度の範囲で設定されるので、第二整流部３０ｄの手前側に至る洗浄水の流速は、過度に低減されることなく、比較的速い流速を維持した状態で流れることが出来る。むしろ、流路断面積が第二リム導水路入口部３０ａから第二整流部３０ｄの手前側まで徐々に小さくなるように形成されているので、第二リム導水路入口部３０ａにおける洗浄水の流速よりも第二整流部３０ｄにおける洗浄水の流速が速くなっている。
第二整流部３０ｄに到達する洗浄水は、ほぼ平坦な底面に沿ってほぼ一定の流路断面積を有する整流部内を流れ、ほぼ水平向きの流れに整流される。よって、洗浄水は、比較的速い流速を維持した状態で、なめらかに第二リム導水路入口部３０ａから吐水方向に吐水されることができる。
【００３２】
従って、第一リム吐水口部１８からの吐水が、比較的早期に開始され、洗浄水が、ボウル部６内のリム１４に沿って旋回するように流れながら溜水部１６の中央に向かって流下する。このように旋回しながら流下する流れにより、汚物（特に浮遊系汚物）をボウル部６内の溜水の中央に集めることができる。第一リム吐水口部１８からの吐水が、比較的早期に開始されるので、貯水タンク装置４からの所定の洗浄水量の供給が終了する前までに、吐水される時間が長くなり、第一リム吐水口部１８から吐水される洗浄水の合計量を比較的多くすることができる。さらに、第一リム吐水口部１８からの吐水が、比較的早期に開始されるので、ゼット吐水口部２２からの吐水が継続されている間に、ボウル部６を洗浄して、浮遊系汚物を、サイホン作用で排出される洗浄水と共に効果的に排水トラップ管路１０へ排出することができる。
【００３３】
同様に、第二リム吐水口部２０からの吐水も、第一リム吐水口部１８からの吐水とほぼ同時に開始される。このように、第二リム吐水口部２０からの吐水が、比較的早期に開始され、第一リム吐水口部１８から吐水された洗浄水で洗浄しにくいボウル部６の後方の曲率半径の大きな領域を比較的すばやく且つ良好に洗浄することができると共に、主にこの後方領域から旋回するように流れながら溜水部１６の中央に向かって流下する。このように旋回しながら流下する流れにより、汚物（特に浮遊系汚物）をボウル部６内の溜水の中央に集めることができる。第二リム吐水口部２０からの吐水が、比較的早期に開始されるので、貯水タンク装置４からの所定の洗浄水量の供給が終了する前までに、吐水される時間が長くなり、第二リム吐水口部から吐水される洗浄水の合計量を比較的多くすることができる。さらに、第二リム吐水口部２０からの吐水が、比較的早期に開始されるので、ゼット吐水口部２２からの吐水が継続されている間に、第一リム吐水口部１８から吐水された洗浄水と合わせて、ボウル部６を洗浄して、浮遊系汚物を、サイホン作用で排出される洗浄水と共に効果的に排水トラップ管路１０へ排出することができる。
【００３４】
このようにして、節水化の要請により比較的少ない洗浄水量でボウル部６を洗浄する場合にも、ボウル部６を効果的に洗浄することができ、且つ汚物受け面１２内の溜水中に浮いている浮遊系汚物を、ゼット吐水口部２２からの吐水が継続されている間に、サイホン作用で排出される洗浄水と共に効果的に排水トラップ管路１０へ排出することができる。
【００３５】
上述した本発明の一実施形態による水洗大便器１によれば、第一リム導水路２８の第一リム導水路入口部底面２８ｂは、第一リム吐水口部１８の底面より下方に位置するので、及び、第二リム導水路３０の第二リム導水路入口部底面３０ｂは、第二リム吐水口部２０の底面より下方に位置するので、貯水タンク装置４から主導水路２４へ洗浄水の供給が開始されるとき、分岐部２４ａの下方側に接続されたゼット導水路２６に流入しきれなくなる洗浄水が、第一リム導水路入口部２８ａから第一リム導水路２８へ比較的早期に導かれることができ、また、第二リム導水路入口部３０ａから第二リム導水路３０へ比較的早期に導かれることができる。従って、貯水タンク装置４から供給される洗浄水量が節水化により減少しても、第一リム吐水口部１８及び第二リム吐水口部２０からの吐水が比較的早期に開始されるので、第一リム吐水口部１８及び第二リム吐水口部２０から吐水される洗浄水量を比較的多くすることができる。
また、洗浄水がゼット吐水口部２２から吐水されるタイミングに対して洗浄水が第一リム吐水口部１８及び第二リム吐水口部２０から吐水されるタイミングを比較的早期にすることができる。従って、貯水タンク装置４から供給される洗浄水量が節水化により減少してサイホン作用の継続時間が減少する場合にも、第一リム吐水口部１８及び第二リム吐水口部２０から汚物受け面１２を流下する洗浄水が、汚物受け面１２内の溜水中に浮いている浮遊系汚物を、ゼット吐水口部２２からの吐水が継続されている間に、サイホン作用で排出される洗浄水と共に効果的に排水トラップ管路１０へ排出することができる。
したがって、貯水タンク装置４から供給される洗浄水量が節水化により減少しても、良好に便器洗浄を行なうことができる。
【００３６】
また、本発明の一実施形態による水洗大便器１によれば、第一リム導水路２８及び第二リム導水路３０の底面においてリム導水路入口部近傍から第一リム吐水口部１８及び第二リム吐水口部２０の方向に向かって段状に上昇する段部が形成される場合よりも、第一リム導水路２８及び第二リム導水路３０を流れる洗浄水の圧力損失を低減することができる。したがって、リム導水路の底面に段部が設けられる場合と比べて、第一リム吐水口部１８及び第二リム吐水口部２０から吐水される洗浄水が比較的大きな流速を有することができ、ボウル部６をより効果的に洗浄することができる。
【００３７】
また、本発明の一実施形態による水洗大便器１によれば、第一リム導水路入口部２８ａ及び第二リム導水路入口部３０ａから第一リム導水路２８及び第二リム導水路３０内へ比較的多くの洗浄水を導水することができると共に、第一リム吐水口部１８及び第二リム吐水口部２０から吐水される洗浄水の流速を増大させることができる。従って、ボウル部６をより効果的に洗浄することができる。
【００３８】
また、本発明の一実施形態による水洗大便器１によれば、第一リム吐水口部１８及び第二リム吐水口部２０から吐水される洗浄水量を比較的多くすることができると共に、第一リム吐水口部１８及び第二リム吐水口部２０から吐水される洗浄水の流速を適切に制御することができる。従って、ボウル部６をより効果的に洗浄することができる。
【００３９】
また、本発明の一実施形態による水洗大便器１によれば、第一整流部２８ｄ及び第二整流部３０ｄにより、第一傾斜底面２８ｅ及び第二傾斜底面３０ｅの上昇する傾斜面に沿って流れる洗浄水を、吐水方向に向かう流れに整流することができる。従って、洗浄水の乱れが抵抗を生じさせることを抑制し、第一リム吐水口部１８及び第二リム吐水口部２０から吐水される洗浄水量を比較的多くすることができると共に、第一リム吐水口部１８及び第二リム吐水口部２０から吐水される洗浄水の流速を適切に制御することができる。従って、ボウル部をより効果的に洗浄することができる。
【符号の説明】
【００４０】
１            水洗大便器
４            貯水タンク装置
６            ボウル部
１２          汚物受け面
１４          リム
１８          第一リム吐水口部
１８ａ        第一リム吐水口部底面
２０          第二リム吐水口部
２０ａ        第二リム吐水口部底面
２２          ゼット吐水口部
２４          主導水路
２４ａ        分岐部
２６          ゼット導水路
２８          第一リム導水路
２８ａ        第一リム導水路入口部
２８ｂ        第一リム導水路入口部底面
２８ｄ        第一整流部
２８ｅ        第一傾斜底面
３０          第二リム導水路
３０ａ        第二リム導水路入口部
３０ｂ        第二リム導水路入口部底面
３０ｄ        第二整流部
３０ｅ        第二傾斜底面
【図１】
2015168994.tif 000003
【図２】
2015168994.tif 000004
【図３】
2015168994.tif 000005
【図４】
2015168994.tif 000006
【図５】
2015168994.tif 000007
【図６】
2015168994.tif 000008